(57)【要約】【課題】２層の液晶表示パネルを備える液晶表示制御装置において、多様な表示表現を可能とすること。【解決手段】裏面側液晶表示パネル７の数字画像を画面上で上方に順次スクロールさせ、そのスクロールによって数字画像の上端が画面から消失され始めると、消失した場所と対応した表面側液晶表示パネル６の場所からその消失し始めた数字画像と対応した数字画像の下端を順次出現表示させ、これにより、裏面側液晶表示パネル７でのスクロールと表面側液晶表示パネル６でのスクロールとの協同作用で数字がぐるぐる回転するかのように表示させる。【選択図】図７
2011017909.tif 000002
【特許請求の範囲】
【請求項１】
重畳状態に重ねられた２枚の液晶表示パネルと、
前記２枚の液晶表示パネルに画像をそれぞれ表示させる表示駆動手段と、
前記表示駆動手段を制御する制御手段とを備え、
前記重畳状態に重ねられた２枚の液晶表示パネルを視認側から見た場合に、第１の格子線と第２の格子線を重ねた形の格子状絵柄が形成され、
前記第１の格子線は、等間隔で並設された第１の直線と、等間隔で並設された同形の第１の線とからなり、
前記第２の格子線は、前記第１の直線と並設方向、長さ、数および並設間隔が同一となるよう並設された第２の直線と、前記第１の線と並設方向、数および並設間隔が同一となるよう並設され当該第１の線とは形が異なる第２の線とからなり、
前記格子状絵柄は、前記第１の格子線と前記第２の格子線とを、前記第１の直線および前記第２の直線のうち、少なくとも１つの端に位置する直線同士が合致するよう重ね合わせた形の絵柄であり、
前記２つの液晶表示パネルの一方の液晶表示パネルには、前記第１の格子線の空かしに対応した位置に当該空かしと同形の画素が形成され、他方の液晶表示パネルには、前記第２の格子線の空かしに対応した位置に当該空かしと同形の画素が形成され、
前記制御手段は、前記表示駆動手段による前記２枚の液晶表示パネルの駆動の際に、前記一方の液晶表示パネルの画面上に表示された前記画像の中の少なくとも一部を前記第１の線に沿って前記直線同士が合致する端に向けて順次スクロールさせて当該端に至った部分から少しずつ順次に消失させる一方で、この消失し始めたタイミングで、前記他方の液晶表示パネルの画面上に、部分的に順次に消失し始めた前記画像を反転させることなく当該端と同じ側から少しずつ順次に出現表示させて前記スクロールの方向と反対の方向に前記第２の線に沿ってスクロールさせることを特徴とする液晶表示制御装置。
【請求項２】
前記一方の液晶表示パネルには前記格子状絵柄が固定して描画されていることを特徴とする請求項１に記載の液晶表示制御装置。
【請求項３】
前記一方の液晶表示パネルには前記第１の格子線が固定して描画され、前記他方の液晶表示パネルには前記第１の格子線と重ね合わせて前記格子状絵柄となる前記第２の格子線が固定して描画されていることを特徴とする請求項１に記載の液晶表示制御装置。
【請求項４】
前記格子状絵柄は、並設された前記第１の直線および前記第２の直線の両端に位置する直線同士が合致するよう重ね合わせた形の絵柄であることを特徴とする請求項１〜３いずれか一項に記載の液晶表示制御装置。
【請求項５】
前記第１の線は円弧状の線であり、前記第２の線は、前記第１の線とは反対の方向に膨らむ円弧状の線であることを特徴とする請求項１〜３いずれか一項に記載の液晶表示制御装置。
【請求項６】
前記第１の液晶表示パネルのスクロール方向は上方または下方であることを特徴とする請求項１〜４いずれか一項に記載の液晶表示制御装置。
【請求項７】
重畳状態に重ねられた２枚の液晶表示パネルと、
前記２枚の液晶表示パネルに画像をそれぞれ表示させる表示駆動手段と、
前記表示駆動手段を制御する制御手段とを備え、
前記重畳状態に重ねられた２枚の液晶表示パネルを視認側から見た場合に、第１の格子線と第２の格子線を重ねた形の格子状絵柄が形成され、
前記第１の格子線は、等間隔で並設された第１の直線と、等間隔で並設された同形の第１の線とからなり、
前記第２の格子線は、前記第１の直線と並設方向、長さ、数および並設間隔が同一となるよう並設された第２の直線と、前記第１の線と並設方向、数および並設間隔が同一となるよう並設され当該第１の線とは形が異なる第２の線とからなり、
前記格子状絵柄は、前記第１の格子線と前記第２の格子線とを、前記第１の直線および前記第２の直線のうち、少なくとも１つの端に位置する直線同士が合致するよう重ね合わせた形の絵柄であり、
前記２つの液晶表示パネルの一方の液晶表示パネルには、前記第１の格子線の空かしに対応した位置に当該空かしと同形の画素が形成され、他方の液晶表示パネルには、前記第２の格子線の空かしに対応した位置に当該空かしと同形の画素が形成されている液晶表示制御装置に用いる画像表示制御方法であって、
前記表示駆動手段による前記２枚の液晶表示パネルの駆動の際に、前記一方の液晶表示パネルの画面上に表示された前記画像の中の少なくとも一部を前記第１の線に沿って前記直線同士が合致する端に向けて順次スクロールさせて当該端に至った部分から少しずつ順次に消失させる一方で、この消失し始めたタイミングで、前記他方の液晶表示パネルの画面上に、部分的に順次に消失し始めた前記画像を反転させることなく当該端と同じ側から少しずつ順次に出現表示させて前記スクロールの方向と反対の方向に前記第２の線に沿ってスクロールさせることを特徴とする画像表示制御方法。
【発明の詳細な説明】
【技術分野】
【０００１】
本発明は、２層の液晶表示パネルを備える液晶表示制御装置および画像表示制御方法に関するものである。
【背景技術】
【０００２】
従来、２層の液晶表示パネルを備える液晶表示制御装置が知られている（例えば、特許文献１）。この液晶表示制御装置は、電極（信号電極）と対向電極とがそれぞれ設けられた２枚の液晶表示パネルを備え、表示駆動手段によって２枚の液晶表示パネルを駆動できるように構成されている（例えば、特許文献１）。
【先行技術文献】
【特許文献】
【０００３】
【特許文献１】特開２０００−２２１２８８号公報
【発明の概要】
【発明が解決しようとする課題】
【０００４】
ところで、上記特許文献１の液晶表示制御装置においては、２枚の液晶表示パネルの画素同士の形態（形状及び大きさ）は同じとなっていた。
そのため、２枚の液晶表示パネルは同一内容の表示が可能となってはいたが、２枚の液晶表示パネルの画素同士の形態（形状及び大きさ）が同じであるので、２枚の液晶表示パネルの駆動切換えを行っても多少の奥行き感が醸し出されはするものの、多様な表示表現は困難であった。
【０００５】
そこで、本発明の課題は、多様な表示表現が可能な液晶表示制御装置および画像表示制御方法を提供することにある。
【課題を解決するための手段】
【０００６】
請求項１の発明は、
重畳状態に重ねられた２枚の液晶表示パネルと、
前記２枚の液晶表示パネルに画像をそれぞれ表示させる表示駆動手段と、
前記表示駆動手段を制御する制御手段とを備え、
前記重畳状態に重ねられた２枚の液晶表示パネルを視認側から見た場合に、第１の格子線と第２の格子線を重ねた形の格子状絵柄が形成され、
前記第１の格子線は、等間隔で並設された第１の直線と、等間隔で並設された同形の第１の線とからなり、
前記第２の格子線は、前記第１の直線と並設方向、長さ、数および並設間隔が同一となるよう並設された第２の直線と、前記第１の線と並設方向、数および並設間隔が同一となるよう並設され当該第１の線とは形が異なる第２の線とからなり、
前記格子状絵柄は、前記第１の格子線と前記第２の格子線とを、前記第１の直線および前記第２の直線のうち、少なくとも１つの端に位置する直線同士が合致するよう重ね合わせた形の絵柄であり、
前記２つの液晶表示パネルの一方の液晶表示パネルには、前記第１の格子線の空かしに対応した位置に当該空かしと同形の画素が形成され、他方の液晶表示パネルには、前記第２の格子線の空かしに対応した位置に当該空かしと同形の画素が形成され、
前記制御手段は、前記表示駆動手段による前記２枚の液晶表示パネルの駆動の際に、前記一方の液晶表示パネルの画面上に表示された前記画像の中の少なくとも一部を前記第１の線に沿って前記直線同士が合致する端に向けて順次スクロールさせて当該端に至った部分から少しずつ順次に消失させる一方で、この消失し始めたタイミングで、前記他方の液晶表示パネルの画面上に、部分的に順次に消失し始めた前記画像を反転させることなく当該端と同じ側から少しずつ順次に出現表示させて前記スクロールの方向と反対の方向に前記第２の線に沿ってスクロールさせることを特徴とする液晶表示制御装置である。
【０００７】
請求項２の発明は、請求項１に記載の液晶表示制御装置であって、前記一方の液晶表示パネルには前記格子状絵柄が固定して描画されていることを特徴とする。
【０００８】
請求項３の発明は、請求項１に記載の液晶表示制御装置であって、前記一方の液晶表示パネルには前記第１の格子線が固定して描画され、前記他方の液晶表示パネルには前記第１の格子線と重ね合わせて前記格子状絵柄となる前記第２の格子線が固定して描画されていることを特徴とする。
【０００９】
請求項４の発明は、請求項１〜３いずれか一項に記載の液晶表示制御装置であって、前記格子状絵柄は、並設された前記第１の直線および前記第２の直線の両端に位置する直線同士が合致するよう重ね合わせた形の絵柄であることを特徴とする。
【００１０】
請求項５の発明は、請求項１〜３いずれか一項に記載の液晶表示制御装置であって、前記第１の線は円弧状の線であり、前記第２の線は、前記第１の線とは反対の方向に膨らむ円弧状の線であることを特徴とする。
【００１１】
請求項６の発明は、請求項１〜４いずれか一項に記載の液晶表示制御装置であって、前記第１の液晶表示パネルのスクロール方向は上方または下方であることを特徴とする。
【００１２】
請求項７の発明は、
重畳状態に重ねられた２枚の液晶表示パネルと、
前記２枚の液晶表示パネルに画像をそれぞれ表示させる表示駆動手段と、
前記表示駆動手段を制御する制御手段とを備え、
前記重畳状態に重ねられた２枚の液晶表示パネルを視認側から見た場合に、第１の格子線と第２の格子線を重ねた形の格子状絵柄が形成され、
前記第１の格子線は、等間隔で並設された第１の直線と、等間隔で並設された同形の第１の線とからなり、
前記第２の格子線は、前記第１の直線と並設方向、長さ、数および並設間隔が同一となるよう並設された第２の直線と、前記第１の線と並設方向、数および並設間隔が同一となるよう並設され当該第１の線とは形が異なる第２の線とからなり、
前記格子状絵柄は、前記第１の格子線と前記第２の格子線とを、前記第１の直線および前記第２の直線のうち、少なくとも１つの端に位置する直線同士が合致するよう重ね合わせた形の絵柄であり、
前記２つの液晶表示パネルの一方の液晶表示パネルには、前記第１の格子線の空かしに対応した位置に当該空かしと同形の画素が形成され、他方の液晶表示パネルには、前記第２の格子線の空かしに対応した位置に当該空かしと同形の画素が形成されている液晶表示制御装置に用いる画像表示制御方法であって、
前記表示駆動手段による前記２枚の液晶表示パネルの駆動の際に、前記一方の液晶表示パネルの画面上に表示された前記画像の中の少なくとも一部を前記第１の線に沿って前記直線同士が合致する端に向けて順次スクロールさせて当該端に至った部分から少しずつ順次に消失させる一方で、この消失し始めたタイミングで、前記他方の液晶表示パネルの画面上に、部分的に順次に消失し始めた前記画像を反転させることなく当該端と同じ側から少しずつ順次に出現表示させて前記スクロールの方向と反対の方向に前記第２の線に沿ってスクロールさせることを特徴とする画像表示制御方法である。
【発明の効果】
【００１３】
本願発明によれば、２枚の液晶表示パネルの駆動の際に、一方の液晶表示パネルの画面上に表示された画像の中の少なくとも一部を第１の線に沿って直線同士が合致する端に向けて順次スクロールさせて当該端に至った部分から少しずつ順次に消失させる一方で、この消失し始めたタイミングで、他方の液晶表示パネルの画面上に、部分的に順次に消失し始めた画像を反転させることなく当該端と同じ側から少しずつ順次に出現表示させてスクロールの方向と反対の方向に前記第２の線に沿ってスクロールさせることができる。したがって、画像が立体の周りを回転しているかのイメージを醸し出すことができる。
【図面の簡単な説明】
【００１４】
【図１】実施形態の時計の一例である電子腕時計の正面図である。
【図２】図１の電子腕時計の液晶表示パネルを説明するための概念図であり、（Ａ）は液晶表示パネルの並びを示す概念図、（Ｂ）は液晶表示パネルの構造の概念図である。
【図３】図１の電子腕時計の液晶表示パネルに描画された格子状絵柄を説明するための図であり、（Ａ）は格子状絵柄を示す図、（Ｂ）は一方の格子線を示す図、（Ｃ）は他方の格子線を示す図である。
【図４】図１の電子腕時計の液晶表示パネルの画素を説明するための図であり、（Ａ）は一方の液晶表示パネルの画素電極を示す図、（Ｂ）は他方の液晶表示パネルの画素電極を示す図である。
【図５】図１の電子腕時計の回路構成のブロック図である。
【図６】図１の電子腕時計のラップタイムおよびスプリットタイムの通常時の表示例を示す図である。
【図７】図１の電子腕時計のラップタイムおよびスプリットタイムの画像スクロールモードにおける表示例を示す図である。
【図８】格子状絵柄の他例を説明するための図であり、（Ａ）は格子状絵柄を示す図、（Ｂ）は一方の格子線を示す図、（Ｃ）は他方の格子線を示す図である。
【図９】格子状絵柄のさらに他例を説明するための図であり、（Ａ）は格子状絵柄を示す図、（Ｂ）は一方の格子線を示す図、（Ｃ）は他方の格子線を示す図である。
【発明を実施するための形態】
【００１５】
以下、本発明の実施の形態を図面に基づいて説明する。
【００１６】
［第１実施形態］
図１は、実施形態の時計の一例である電子腕時計の正面図である。
この電子腕時計は腕時計ケース１を備えている。この腕時計ケース１の上部には、図２（Ａ）の概念図に示すように、時計ガラス２が装着され、一方、腕時計ケース１の下部には、裏蓋３が防水リング（図示せず）を介して取り付けられている。
腕時計ケース１の内部には、ドットマトリクスタイプの表面側液晶表示パネル６および裏面側液晶表示パネル７が設けられている。図２（Ａ）には、表面側液晶表示パネル６と裏面側液晶表示パネル７とが間隔を隔てて設けられているが、当接していてもよいことは勿論である。
腕時計ケース１の３時側及び９時側の両側面には、図１に示すように、複数の押釦スイッチ９が設けられている。
なお、図２（Ａ）には示されてはいないが、裏面側液晶表示パネル７の裏側に必要に応じてバックライトや反射板が設けられるが、裏面側液晶表示パネル７の裏側に半透過反射板を設け、さらにその裏側に補助光源であるバックライトを設けてもよい。
【００１７】
次に、表面側液晶表示パネル６及び裏面側液晶表示パネル７の構造を図２（Ｂ）の概念図を用いて説明する。なお、表面側液晶表示パネル６及び裏面側液晶表示パネル７の構造はほぼ共通しているので、共通部分については同時に説明する。
【００１８】
液晶表示パネル６，７は、表面側ガラス基板６ａ，７ａと、この表面側ガラス基板６ａ，７ａと所定の間隙を持って対向する裏面側ガラス基板６ｂ，７ｂとを備える。
裏面側ガラス基板６ｂ，７ｂには信号電極としての画素電極６ｃ，７ｃが設けられている。一方、表面側ガラス基板６ａ，７ａには画素電極６ｃ，７ｃに対応する位置に対向電極６ｄ，７ｄが設けられている。画素電極６ｃ，７ｃ及び対向電極６ｄ，７ｄは共に透明電極とされている。
表面側ガラス基板６ａ，７ａと裏面側ガラス基板６ｂ，７ｂとの間には液晶層６ｆ，７ｆが封入されている。
なお、図２（Ｂ）において、符号６ｅ，７ｅは配向膜、６ｇ，７ｇは偏光板を示している。また、液晶表示パネル６，７には図示はしないがカラーフィルタが設けられ、液晶表示パネル６での表示色と液晶表示パネル７での表示色を変えてある。液晶表示パネル６での表示色と液晶表示パネル７での表示色は同じであってもよい。
【００１９】
表面側液晶表示パネル６の表面側ガラス基板６ａの上には、図３（Ａ）に示すような格子状絵柄１０が固定して描画されている。この格子状絵柄１０は表面側液晶表示パネル６にではなく裏面側液晶表示パネル７に固定して描画されていてもよい。また、液晶表示パネルの偏光板に固定して描画されていてもよい。
格子状絵柄１０は、図３（Ｂ），（Ｃ）に示す２つの第１および第２の各格子線１１，１２を重ね合わせた形となっている。
第１の格子線１１は、縦方向に等間隔に並設された同じ長さの直線１１ａ・・・と、横方向に等間隔に並設された同形の弧状線１１ｂ・・・とを組み合わせて形成されるものである。ここでは、各直線１１ａ・・・は２０本、線１１ｂは３０本となっている。各弧状線１１ｂ・・・は左側に向けて膨らんだ形となっている。これらの数は任意に設定できる。
第２の格子線１２は、縦方向に等間隔に並設された同じ長さの直線１２ａ・・・と、横方向に等間隔に並設された同形の弧状線１２ｂ・・・とを組み合わせて形成されるものである。各直線１２ａ・・・は各直線１１ａ・・・と並設方向、長さ、数および並設間隔が同一となっている。各弧状線１２ｂ・・・は各弧状線１１ｂ・・・と膨らむ方向が逆となっている。
そして、格子状絵柄１０は、第１の格子線１１と第２の格子線１２とを、並設された直線１１ａの両端の直線と、並設された直線１２ａの両端の直線同士が合致するように重ねた形となっている。
【００２０】
表面側液晶表示パネル６の画素電極６ｃは、図４（Ａ）に示すように、第１の格子線１１の空かし（格子目）の位置にその空かしと同じ形に形成されている。すなわち、表面側液晶表示パネル６の画素は、第１の格子線１１の空かし（格子目）の位置にその空かしと同じ形に形成されている。
裏面側液晶表示パネル７の画素電極７ｃは、図４（Ｂ）に示すように、第２の格子線１２の空かしの位置にその空かしと同じ形に形成されている。すなわち、裏面側液晶表示パネル７の画素は、第２の格子線１１の空かし（格子目）の位置にその空かしと同じ形に形成されている。
【００２１】
次に、図５を参照しつつ、本実施形態における電子腕時計の機能的構成について説明する。
電子腕時計は、入力部１００、ＣＰＵ（Central Processing Unit）１０１、ＲＯＭ（Read Only Memory）１０２、ＲＡＭ（Random Access Memory）１０３、発振回路部１０４、計時回路部１０５、表示駆動回路部１０６等を備えて構成されている。
【００２２】
入力部１００は、電子腕時計の各種機能の実行を指示するための複数の押釦スイッチ９を含む。ユーザによりこの押釦スイッチ９が操作されると、これに基づいて、時刻セットやモード選択がなされる。モードの中には画像スクロールモードが含まれる。
【００２３】
ＣＰＵ１０１は、例えば、所定のタイミング或いは入力部１００から入力された操作信号等に応じて、ＲＯＭ１０２に格納されている各種プログラムを読み出してＲＡＭ１０３の作業領域に展開し、当該プログラムに従って電子腕時計を構成する各部への指示（制御）やデータの転送等の各種処理を実行するものである。画像スクロールモードでは、ＣＰＵ１０１は、表示駆動回路部１０６を通じて液晶表示パネル６，７を制御して画面上にある画像をスクロールさせる。
【００２４】
ＲＯＭ１０２は、読み出し専用のメモリであり、電子腕時計の種々の機能を実現させるためのシステムプログラムや各種アプリケーションプログラム、各種データ等を記憶するものである。アプリケーションプログラムの中には、画面上にある画像をスクロールさせるためのプログラムが含まれる。
【００２５】
ＲＡＭ１０３は、例えば、揮発性の半導体メモリであり、ＣＰＵ１０１により実行される各種プログラムや、これらのプログラムの実行に係るデータ等を一時的に保持するためのメモリ領域を備え、ＣＰＵ１０１の作業領域として用いられる。
【００２６】
発振回路部１０４は、常時一定周波数のクロック信号を出力する回路であり、計時回路部１０５は、発振回路部１０４から入力される信号を計数して、現在時刻データ等を取得するものである。計時回路部１０５は、取得した現在時刻データをＣＰＵ１０１に対して出力するようになっている。
【００２７】
表示駆動回路部１０６は、例えば、ＣＰＵ１０１からのデータや制御信号等に基づいて液晶表示パネル６，７を駆動して、この液晶表示パネル６，７に各種情報を表示させる表示処理を行うものである。表示駆動回路部１０６は、画像スクロールモードでは、ＣＰＵ１０１によって制御され液晶表示パネル６，７の画面上で画像をスクロールさせる。
【００２８】
次に、実施形態の電子腕時計の動作をＣＰＵの働きとともに説明する。
【００２９】
［通常時］
図６には電子腕時計の通常時のラップタイムおよびスプリットタイムの表示例が示されている。この例では、電子腕時計の画面は上段でラップタイムの画像を表示し、下段でスプリットタイムの画像を表示している。この場合には、ラップタイムおよびスプリットタイムの画像表示場所は動かない。
この例では、ＣＰＵ１０１は、裏面側液晶表示パネル７だけを駆動させ、当該裏面側液晶表示パネル７だけでラップタイムおよびスプリットタイムの画像表示を行っている。
この例では、裏面側液晶表示パネル７だけで画像表示を行っているが、反対に、表面側液晶表示パネル６だけで画像表示を行ってもよいし、ラップタイムおよびスプリットタイムの一方について裏面側液晶表示パネル７で画像表示を行い、他方について表面側液晶表示パネル６で画像表示を行ってもよい。また。その逆であってもよい。
【００３０】
［画像スクロールモード時］
図７には電子腕時計の画像スクロールモード時のラップタイムおよびスプリットタイムの表示例が示されている。この例では、電子腕時計の画面は上段でラップタイムを表示し、下段でスプリットタイムの画像を表示している。この点は、通常時と同じである。しかし、このスクロールモード時には、ラップタイムの画像をスクロールする。
ＣＰＵ１０１は、まず、裏面側液晶表示パネル７を駆動させ、当該裏面側液晶表示パネル７にラップタイムおよびスプリットタイムの画像表示を行わせる。そして、ＣＰＵ１０１は、裏面側液晶表示パネル７に表示されているラップタイムの画像を上方にスクロールさせる。ラップタイムの画像を上方にスクロールさせると、ラップタイムの画像は上端から１ラインずつ順次画面から消失していく。
ラップタイムの画面が上端から消失し始めたタイミングで、ＣＰＵ１０１は、表面側液晶表示パネル６を駆動させてラップタイムの画像を下端から１ラインずつ順次画面に出現表示させる。そして、出現表示されたラップタイムの画像を順次下方にスクロールさせる。
【００３１】
この様子が図７（Ａ）〜（Ｅ）に示されている。この例の場合、時刻を示す数字画像の「００  ０５  ０」を、裏面側液晶表示パネル７でのスクロールと表面側液晶表示パネル６でのスクロールとの協同作用で、液晶パネル画面上をぐるぐる回転するかのように表示させる例を示す。
図７（Ａ）に示すように、裏面側液晶表示パネル７に表示されているラップタイムの数字の画像の全体が表示されているが、表面側液晶表示パネル６にはラップタイムの数字の画像がまったく表示されていない状態から、まず、図７（B）に示すように、ＣＰＵ１０１は、裏面側液晶表示パネル７に表示されているラップタイムの画像を上方にスクロールさせ、ラップタイムの数字の画像のうちの最上位１ライン目の画素を画面から消失させる。一方、その消失し始めたタイミングで、ＣＰＵ１０１は、表面側液晶表示パネル６を駆動させ、ラップタイムの数字の画像のうちの最下位１ライン目の画素を画面に出現表示させる。
次に、図７（C）に示すように、ＣＰＵ１０１は、裏面側液晶表示パネル７に表示されているラップタイムの画像を上方にスクロールさせ、ラップタイムの数字の画像のうちの最上位２ライン目の画素を画面から消失させる。一方、その消失し始めたタイミングで、ＣＰＵ１０１は、表面側液晶表示パネル６を駆動させ、ラップタイムの数字の画像のうちの最下位２ライン目の画素を画面に出現表示させる。
さらに、図７（D）に示すように、ＣＰＵ１０１は、裏面側液晶表示パネル７に表示されているラップタイムの画像を上方にスクロールさせ、ラップタイムの数字の画像のうちの最上位６ライン目のセグメント画素が画面から消失させる。一方、その消失し始めたタイミングで、ＣＰＵ１０１は、表面側液晶表示パネル６を駆動させ、ラップタイムの数字の画像の最下位６ライン目のうちの画素を画面に出現表示させる。
さらに、図７（E）に示すように、ＣＰＵ１０１は、裏面側液晶表示パネル７に表示されているラップタイムの画像を上方にスクロールさせ、ラップタイムの数字の画像のうちの最上位９ライン目のセグメント画素が画面から消失させる。一方、その消失し始めたタイミングで、ＣＰＵ１０１は、表面側液晶表示パネル６を駆動させ、ラップタイムの数字の画像のうちの最下位９ライン目の画素を画面に出現表示させる。
このようにして、ＣＰＵ１０１は、ラップタイムの画面の上端から数字のうちの画素を消失し始めたタイミングで、表面側液晶表示パネル６を駆動させてラップタイムの数字のうちの画像を下端から１ラインずつ順次画面に出現表示させる。そして、出現表示されたラップタイムの数字の画像を順次下方にスクロールさせる。
なお、図６（Ａ）〜（Ｅ）には一度機に表示される全体画像の一部の画像だけをスクロールさせる場合を示したが、全体画像をスクロールさせるようにしてもよい。
【００３２】
以上の実施形態によれば、次のような効果を得ることができる。
裏面側液晶表示パネル７の画像が画面上で上方にスクロールされ、そのスクロールによって画像が消失され始めると、表面側液晶表示パネル６にその消失し始めた画像と同じ画像が表示され始め、その画像は先ほどとは反対の方向（画面上で下方）にスクロールされる。この場合、裏面側液晶表示パネル７でのスクロールと表面側液晶表示パネル６でのスクロールは形が異なる線に沿って行われる。したがって、画像が立体の周りを回転しているかのイメージが醸し出されることになる。
実施形態の場合、第１の格子線１１の弧状線１１ｂと、第２の格子線１２の弧状線１２ｂとが互いに反対の方向に膨らむ線となっているので、第１の格子線１１の弧状線１１ｂと第２の格子線１２とを組み合わせて、図３（Ａ）に示すような楕円柱の周りを画像が回っているかのイメージが醸し出されることになる。
このように、２枚の液晶表示パネルの駆動の際に、一方の液晶表示パネルの画面上に表示された画像の一部を第１の線に沿って直線同士が合致する端に向けて順次スクロールさせて当該端に至った部分から順次に消失させる一方で、この画像の一部が順次消失し始めたタイミングで、他方の液晶表示パネルの画面上に消失し始めた画像を反転させることなく当該端と同じ側から順次に出現表示させてスクロールの方向と反対の方向に前記第２の線に沿ってスクロールさせることができる。したがって、画像が立体の周りを回転しているかのイメージを醸し出すことができる。
この場合、並設された第１の線を円弧状の線とし、並設された第２の線は、第１の線とは反対の方向に膨らむ円弧状の線とすれば、円柱の周りを画像が回っているかのイメージが醸し出されることになる。
また、格子状絵柄を、並設された第１の直線および第２の直線の両側の直線同士を合致させるよう第１の格子線と第２の格子線を重ね合わせた形とすれば、回転スクロールを継続させることが可能となる。
また、電子腕時計において、時刻や時間をデジタル表示する場合には、数字が横方向に並ぶのが一般的であるが、この場合、スクロール方向が上方または下方であれば、その時刻や時間が見やすいものとなる。
【００３３】
（変形例）
上記実施形態では、第１の格子線１１と第２の格子線１２とを重ね合わせた形の格子状絵柄１０を表面側液晶表示パネル６に描画したが、第１の格子線１１を一方の液晶表示パネルに描画し、第２の格子線１２を他方の液晶表示パネルに描画してもよい。
【００３４】
また、上記実施形態では、第１および第２の各格子線１１，１２を、並設した直線と、並設した弧状線との組み合わせとしたが、以下のようなものであってもよい。
図８は、その一例を示すものである。同図（Ａ）は格子状絵柄を示す図、（Ｂ）は一方の格子線を示す図、（Ｃ）は他方の格子線を示す図である。
ここでは、格子線２１が、並設された直線同士２１ａ，２１ｂの組み合わせとなっていて、格子線２２が、並設された直線２２ａと、並設された屈曲線（曲線）２２ｂの組み合わせとなっている。
図９は、その他例を示すものである。同図（Ａ）は格子状絵柄を示す図、（Ｂ）は一方の格子線を示す図、（Ｃ）は他方の格子線を示す図である。
ここでは、格子線３１が、並設された直線３１ａと、並設された弧状曲線３１ｂとの組み合わせからなり、格子線３２が、並設された直線３２ａ，と、並設された波線３２ｂとの組み合わせとなっているものである。
【００３５】
以上、本発明の実施形態について説明したが、本発明は、かかる実施形態および変形例に限定されるものではない。
例えば、上記実施形態では、格子状絵柄を画面に表示させるために、２枚の液晶表示パネルの一方に格子状絵柄そのままを描画するか、一方の液晶表示パネルに一の格子線、他方の液晶表示パネルに他の格子線を描画したが、最終的に重ね合わせたときに格子状絵柄が画面に表示されるものであれば、液晶表示パネルの双方に描画する自体は格子線となっていなくてもよい。
【符号の説明】
【００３６】
１    時計ケース
６    表面側液晶表示パネル
６ｃ    画素電極
７    裏面側液晶表示パネル
７ｃ    画素電極
１０    格子状絵柄
１１，１２，２１，２２，３１，３２    格子線
１０１    ＣＰＵ（制御部）
１０２    表示駆動回路部
【図１】
2011017909.tif 000003
【図２】
2011017909.tif 000004
【図３】
2011017909.tif 000005
【図４】
2011017909.tif 000006
【図５】
2011017909.tif 000007
【図６】
2011017909.tif 000008
【図７】
2011017909.tif 000009
【図８】
2011017909.tif 000010
【図９】
2011017909.tif 000011